(57)【要約】【課題】  設置姿勢に制約がなく、配管接続をシンプルに行うことのできるガスメータを提案すること。【解決手段】  ガスメータ１のメータケース２の側面部分２ａ、２ｂからは、同軸状態で反対向きにガス入口管３およびガス出口管４が突出している。メータケース２の旋回中心軸７には支持板８が前後方向に１８０度旋回可能な状態で取り付けられ、この支持板８の先端に液晶表示器９が、その表示面９ａに直交する軸線を中心に回転可能に取り付けられている。ガスメータ１の両側にガス入口管３、ガス出口管４が付いているので配管接続が簡単であり、接続姿勢に応じて、液晶表示器９を旋回させて、その表示面９ａを目視可能な向きに変更できる。【選択図】    図７
2005043252.tif 000002
【特許請求の範囲】
【請求項１】
メータケースと、
前記メータケースの内部に形成されたガス計測部と、
前記ガス計測部にガスを導くために前記メータケースから突出しているガス入口管と、
前記ガス計測部からガスを外部に排出するために前記メータケースから突出しているガス出口管と、
計測されたガス流量の積算値などを表示するための表示部とを有し、
前記表示部は、その表示面の向きを変更できるように、前記メータケースに対して移動可能な状態で取り付けられているガスメータ。
【請求項２】
請求項１において、
前記メータケースは対向する一対の側面部分を備えており、
一方の前記側面部分からは前記ガス入口管が突出しており、
他方の前記側面部分からは、前記ガス入口管とは反対向きに、前記ガス出口管が突出しているガスメータ。
【請求項３】
請求項２において、
前記ガス入口管および前記ガス出口管にそれぞれ接続された入口側アダプタ管および出口側アダプタ管を有しており、
前記入口側アダプタ管および前記出口側アダプタ管は左右対称な形状をしており、それらの先端開口が同一方向に引き出されているガスメータ。
【請求項４】
請求項１、２または３において、
前記表示部は、予め定めた中心線の回りを旋回可能な状態で前記メータケースに取り付けられているガスメータ。
【請求項５】
請求項４において、
前記メータケースにおける前記中心線の方向の両端に、前記ガス入口管および前記ガス出口管が、反対向きに突出しているガスメータ。
【請求項６】
請求項１ないし５のうちのいずれかの項において、
前記表示部は、前記表示面に直交する軸線回りに回転可能であるガスメータ。
【請求項７】
請求項１ないし６のうちのいずれかの項において、
前記ガス計測部は超音波式ガス計測部であるガスメータ。
【発明の詳細な説明】
【技術分野】
【０００１】
本発明は、異なる姿勢で設置でき、配管接続もシンプルに行うことのできるガスメータに関するものである。
【背景技術】
【０００２】
図１０（ａ）には一般に使用されている膜式ガスメータを示してある。ガスメータ１００はそのメータケース１０１の上面の両端部分からガス入口管１０２およびガス出口管１０３が上方に垂直に突出しており、メータケース１０１の前面の上側部分に前方に向く状態で、文字車を用いた機械式カウンタからなる表示部１０４が取り付けられている。この構造のガスメータ１００は、図１０（ｂ）に示すように、住宅などのガス消費地に設置されたガス配管に縦置き状態となるように接続される。すなわち、地中に水平に配置されているガス配管１１０、１１１から垂直に立ち上げた立ち上げ管１１２、１１３の間にガスメータ１００を接続するために、ガス配管１１２、１１３の上端を下向きに折り返し、ガスメータ１００のガス入口管１０２、ガス出口管１０３の外周に切られたねじ部に、ガス配管１１２、１１３の側の袋ナットをねじ込み固定している。
【０００３】
このように、ガスメータの設置姿勢が決まっているので、上方に向いているガス入口管１０２およびガス出口管１０３に、地中から立ち上げた立ち上げ管１１２、１１３を接続するために、エルボ管などを接続して下向きに折り返す必要がある。このため、配管材料費が掛かり、ガスメータの配管作業も大変である。また、ガスメータは住宅などの玄関脇などに設置されるので、地中から立ち上げたガス配管、そこに接続されたガスメータによって、美観が損なわれるという弊害もある。
【発明の開示】
【発明が解決しようとする課題】
【０００４】
従来において一般的に使用されているガスメータは、積算値の表示面が前方を向くように縦置き状態でガス配管に接続する必要がある。したがって、上方に向いた入口管および出口管に対して、地中から立ち上げたガス配管の先端を下向きに折り返して接続する必要がある。よって、配管材料費が嵩み、配管作業も大変である。また、地中などに設置することができないので、その設置場所に制約がある。玄関脇などに設置した場合には美観を損ねるなどの弊害も発生する。
【０００５】
本発明の課題は、このような点に鑑みて、設置姿勢に制約がなく、ガス配管の接続をシンプルに行うことのできるガスメータを提案することにある。
【課題を解決するための手段】
【０００６】
上記の課題を解決するために、本発明のガスメータは、
メータケースと、
前記メータケースの内部に形成されたガス計測部と、
前記ガス計測部にガスを導くために前記メータケースから突出しているガス入口管と、
前記ガス計測部からガスを外部に排出するために前記メータケースから突出しているガス出口管と、
計測されたガス流量の積算値などを表示するための表示部とを有し、
前記表示部は、その表示面の向きを変更できるように、前記メータケースに対して移動可能な状態で取り付けられていることを特徴としている。
【０００７】
例えば、本発明においては、前記表示部が、予め定めた中心線の回りに旋回可能な状態で前記メータケースに取り付けられていることを特徴としている。
【０００８】
本発明のガスメータでは、その設置姿勢に応じて、表示部の表示面の向きを変更できる。よって、ガスメータの設置姿勢の自由度が増すので、既設のガス配管などにガスメータを接続する場合の配管作業が簡単になり、また、配管材料費も低減可能である。
【０００９】
次に、本発明のガスメータでは、前記メータケースは対向する一対の側面部分を備え、一方の前記側面部分からは前記ガス入口管が突出し、他方の前記側面部分からは、前記ガス入口管とは反対向きに、前記ガス出口管が突出している構成を採用できる。このように、反対側の側面部分から反対向きにガス入口管とガス出口管が突出している場合には、従来のように、同一方向にガス入口管およびガス出口管が突出している場合に比べて、既設のガス配管などへの接続が容易かつ簡単になる。
【００１０】
ここで、この構成のガスメータを、同一方向にガス入口管およびガス出口管が突出している既存のガスメータの代わりに、地中などから立ち上げたガス配管に接続する場合には、前記ガス入口管および前記ガス出口管のそれぞれに、入口側アダプタ管および出口側アダプタ管を接続して、それらの先端開口を同一方向に引き出すようにすればよい。この場合、前記入口側アダプタ管および前記出口側アダプタ管を左右対称な形状とすれば、単一のアダプタ管を用意するのみでよい。
【００１１】
また、本発明では、前記表示部の旋回中心である前記中心線の方向の両端において、前記ガス入口管および前記ガス出口管を反対向きに突出させた構成を採用することができる。メータケースの両端から入口管および出口管が突出していると、地中から立ち上げたガス配管を側方に折り曲げるのみで入口管および出口管に接続でき、配管がシンプルになる。また、地中などを水平に走っているガス配管に、同軸状態で、ガスメータを挿入することもできる。さらには、垂直に延びているガス配管に同軸状態でガスメータを挿入することもできる。この場合、前記表示部を、前記中心線を中心として見易い位置に旋回して位置決めすればよい。
【００１２】
次に、本発明において、前記表示部を、前記表示面に直交する軸線回りに回転可能としておけば、ガスメータを縦置き、横置きのいずれの状態に設置した場合でも、表示部の表示面を水平状態にでき、また、表示文字を正立状態で目視できる。
【００１３】
一方、本発明によるガスメータのガス計測部としては各種の形式のものを採用できるが、本発明の構成は、特に、超音波式ガス計測部を備えたガスメータに採用するのに適している。
【発明の効果】
【００１４】
本発明のガスメータでは、その表示部の表示面の向きを変更できるように、表示部がメータケースに対して移動可能な状態、たとえば旋回可能な状態で取り付けられている。よって、表示部の表示面の向きを変更することにより、ガスメータを既設のガス配管などに対して接続し易い姿勢で設置することができる。この結果、配管作業が簡単になり、また、配管材料費も少なくて済む。
【００１５】
また、本発明のガスメータでは、メータケースの両側面部分から反対向きに突出したガス入口管およびガス出口管を備えている。かかるガス入口、出口管の配置と、表示部を可動にした構成とによって、ガスメータを簡単にガス配管に接続でき、また、表示部の表示面も見易い状態に保持できる。
【発明を実施するための最良の形態】
【００１６】
以下に、図面を参照して、本発明を適用した表示部可動式ガスメータの実施の形態を説明する。
【００１７】
図１（ａ）、（ｂ）および（ｃ）は、本実施の形態に係る表示部可動式超音波ガスメータを示す正面図、平面図および側面図である。ガスメータ１は、全体として横長の矩形筒状のメータケース２を有している。メータケース２の両側面はそれぞれ封鎖されており、その一方の側面部分２ａからはガス入口管３が垂直に横方に突出している。他方の側面部分２ｂからはガス出口管４が垂直に横方に突出している。本例では、これらガス入口管３およびガス出口管４は同軸状態で反対向きに突出している。
【００１８】
メータケース２の内部には、ガス入口管３から導入されたガスを反対側のガス出口管４に導くガス通路５が形成されており、このガス通路５が超音波式のガス計測部とされている。すなわち、ガス通路５の上流側および下流側には、それぞれ、超音波を送信および受信する送受信部６ａ、６ｂが配置されている。これらの送受信部６ａ、６ｂから交互に流れ方向に対して順方向および逆方向に送信される超音波の到達時間の差を求め、これに基づきガス通路５を流れるガス流量が算出される。超音波式流量計の原理は公知であるので説明を省略する。
【００１９】
メータケース２の中央部分には、その上面部分２ｃから一定の幅で一定の深さに掘り込んだ状態の凹部２Ａが形成されている。この凹部２Ａの両側面の間には、横方向に水平に旋回中心軸７が架け渡されている。この旋回中心軸７には、一定幅の支持板８の下端部分８ａが回転可能な状態で取り付けられている。支持板８の上端部分８ｂには、当該支持板８に直交する状態で、液晶表示器９が取り付けられている。本例では、液晶表示器９の表示面９ａに直交する方向に、その裏面の中心部分から回転中心軸９ｂが突出しており、この回転中心軸９ｂが支持板８の上端面に回転可能な状態で差し込まれている。
【００２０】
本例では、支持板８の旋回中心線８ｃから液晶表示器９の裏面までの距離が、当該旋回中心線８ｃからメータケース２の前面２ｄおよび後面２ｅまでの距離と同一となるように設定されている。したがって、液晶表示器９は、図１に示すように、その表示面９ａが上を向いた上向き位置９Ａから、図２に示すように、前方に９０度旋回した前向き位置９Ｂまで旋回可能である。前向き位置９Ｂにおいては、液晶表示装置９の表示面９ａが垂直状態で前方を向き、表示文字が正立状態になる。また、図１の上向き位置９Ａから、図３に示すように、後方に９０度旋回した後向き旋回位置９Ｃまで旋回可能である。
【００２１】
さらに、液晶表示器９は上記のように、支持板８に対して回転軸９ｂを中心として回転可能に支持されている。本例では、図１に示す位置９Ａから左に９０度回転した左回転位置９Ｌおよび右に１８０度回転した右回転位置９Ｒまで回転可能とされている。図４には、液晶表示器を左回転位置９Ｌまで回転した状態を示してある。したがって、例えば、図３に示すように液晶表示器９を後方に９０度旋回した後向き旋回位置９Ｃにしたのみでは、液晶表示器９の表示面が倒立状態になってしまうが、１８０度回転した右回転位置９Ｒにすれば、表示面を成立状態にできる。これにより、水平な配管にガスメータ１を接続した場合、右から左への流れにも左から右への流れにも対応可能になる。
【００２２】
なお、液晶表示器９は、固定ねじやその他の拘束機構によって、所定の旋回位置および回転位置に固定することができる。例えば、液晶表示器９は、図１に示すように、支持板８の下端部分８ａにねじ込まれている固定ねじ１０によって、各旋回位置９Ａ、９Ｂ、９Ｃに固定できる。
【００２３】
この構成のガスメータ１は、一般的に使用されているガスメータ１００（図１０参照）と同様に、地中から立ち上げられている既設のガス配管に接続することができる。この場合には、図５に示すように、ガスメータ１のガス入口管３およびガス出口管４に、それぞれ、アダプタ管１１を左右対称状態で接続して用いる。
【００２４】
アダプタ管１１を上側に引き出せば、図６（ａ）に示すように、それらの上端１１ａを、地中から垂直に立ち上げたガス配管１２、１３の上端に取り付けたエルボ管１４、１５の下端に接続すればよい。
【００２５】
地中からガス配管を立ち上げてガスメータ１を接続する場合（新設の場合）には、図６（ｂ）に示すように、アダプタ管１１を下側に引き出し、垂直に立ち上げた左右のガス配管１７、１８の上端に直接接続すればよい。この場合には、従来のように、左右のガス配管をガスメータよりも上側に立ち上げた後に折り返す必要がないので、配管距離が短くなる。よって、シンプルな配管にでき、配管材料費も節約できる。
【００２６】
また、このようにガスメータ１を横置き状態で接続し、前方から検針などを行う場合には、液晶表示器９を旋回して前向き位置９Ｂ（図２参照）に固定すればよい。このようにすれば、液晶表示器９の表示面９ａが垂直状態で前に向き、表示文字も正立状態になる。よって、従来のガスメータと同様に検針を行うことができる。
【００２７】
次に、ガスメータ１を地中に埋設されているガス配管に同軸状態に接続することもできる。図７にはガスメータ１の地中設置の例を示してある。この図に示すように、液晶表示器９が上向き位置のガスメータ１（図１参照）を、横置き状態で、地中に水平に埋設されているガス配管２１に接続することができる。
【００２８】
次に、本例のガスメータ１をＬＰＧガスメータとして用いる場合について説明する。図８（ａ）には従来のガスメータ１００（図１０参照）をＬＰＧ容器３１の供給管３２に接続した例を示してある。この場合には、地中から立ち上げたガス配管との接続と同様に、ガスメータ１００の上面から上方に突出しているガス入口管１０２およびガス出口管１０３に接続するために、ガス配管をガスメータ１００よりも上方に立ち上げた後にエルボ管などを接続して折り返す必要がある。
【００２９】
しかるに、本例のガスメータ１の場合には、図８（ｂ）、（ｃ）に示すように、極めてシンプルな配管接続になる。図８（ｂ）はガスメータ１を横置きした場合の例であり、この場合には、供給管３２の立ち上げ部分の先端３３を水平に曲げてガスメータ１のガス入口管３に接続すればよく、ガス出口管４の側も同様に接続できる。また、この場合には、前方から液晶表示器９の表示面９ａを目視できるように、液晶表示器９を前向き位置９Ｂ（図２参照）に固定すればよい。これに対して、図８（ｃ）に示すように、ガスメータ１を縦置き状態に供給管３２の立ち上げ部分の先端３３に接続することもできる。この場合には、配管に折り曲げ部分が不要となるので、極めてシンプルな配管状態になる。縦置きの場合には、液晶表示器９をたとえば右に９０度回転して、左回転位置９Ｒに固定すれば、前方から正立状態で表示文字が表示される表示面９ａを目視できる。
【００３０】
次に、ガスメータ１を地中に埋設した場合には、地上に設置した表示操作器と接続し、積算値を読み取るようにすると便利である。図９には、地中に埋設したガスメータ１と、そこに接続された表示操作器４０とを示してある。表示操作器４０は、ガスメータ１で計測されたガス流量の積算値の表示機能と、ガスメータ１に備わっているガス遮断弁の遠隔開閉操作機能と、積算値のバックアップ機能と、内蔵の無線モジュールを用いて上位装置との間で特定小電力無線による通信行う機能などを有している。この表示操作器４０は、一定時間毎にガスメータ１の積算値およびその他の必要なデータを取得し、記憶保持する。ガスメータ１が異常状態に陥ったときには、バックアップ機能が働き、ガスメータ１のコントローラをリセットして、表示操作器に記憶保持してあるデータをガスメータに書き戻す。
【００３１】
なお、上記の例では、表示部として液晶表示器を備えたガスメータの例であるが、液晶表示器以外の表示部を備えている場合であっても本発明を適用可能である。また、ガス計測方法として、超音波以外の計測方法によるガス計測部を備えたガスメータに対しても本発明を適用可能である。さらに、表示部を旋回および回転可能な状態でメータケースに取り付けてあるが、表示部をスライド可能な状態に取り付けることも可能であり、二軸回りに旋回可能としてもよい。
【図面の簡単な説明】
【００３２】
【図１】本発明を適用した表示部可動式超音波ガスメータを示す正面図、平面図および側面図である。
【図２】図１のガスメータにおける液晶表示器が前向き位置にある状態を示す正面図、平面図および側面図である。
【図３】図１のガスメータにおける液晶表示器が後向き位置にある状態を示す正面図、平面図および側面図である。
【図４】図１のガスメータにおける液晶表示器が左側回転位置にある状態を示す正面図、平面図および側面図である。
【図５】図１のガスメータにアダプタ管を接続した状態を示す説明図である。
【図６】図１のガスメータの接続例を示す説明図である。
【図７】図１のガスメータの地中設置の例を示す説明図である。
【図８】（ａ）は従来のガスメータの接続例を示す説明図であり、（ｂ）および（ｃ）は図１のガスメータの接続例を示す説明図である。
【図９】地中設置された図１のガスメータに表示操作器が接続された例を示す説明図である。
【図１０】（ａ）は従来のガスメータを示す正面図であり、（ｂ）はその接続例を示す説明図である。
【符号の説明】
【００３３】
１    ガスメータ
２    メータケース
２ａ、２ｂ  側面部分
２ｃ  上面部分
２ｄ  前面部分
２ｅ  後面部分
３  ガス入口管
４  ガス出口管
５  ガス通路
７  旋回中心軸
８  支持板
９  液晶表示器
９ａ  表示面
【図１】
2005043252.tif 000003
【図２】
2005043252.tif 000004
【図３】
2005043252.tif 000005
【図４】
2005043252.tif 000006
【図５】
2005043252.tif 000007
【図６】
2005043252.tif 000008
【図７】
2005043252.tif 000009
【図８】
2005043252.tif 000010
【図９】
2005043252.tif 000011
【図１０】
2005043252.tif 000012